(57)【要約】【解決手段】平形電気回路（３２）を終端するための電気コネクタ（３０）である。該コネクタは、平形回路の先端部を収容するための開口部（３６）を備えた絶縁性ハウジング（３４）を含む。複数の端子（３８）は、ハウジングに、開口部に沿って横方向に離間されて横並びに装着される。細長いアクチュエータ（４０）は、開口部への平形回路の挿入が可能となる開位置と閉位置との間を移動することができるように、ハウジングに移動可能に取付けられる。細長い圧力板（４０ａ）は、アクチュエータの前面に沿ってアクチュエータが閉位置にある場合に、前記平形回路を前記端子に付勢する。細長いピボット軸（４０ｂ）は、アクチュエータの背面に沿って延在し、開位置と閉位置との間でアクチュエータを回動する圧力板から離間される。複数の支持部（５４）は、アクチュエータの長手方向に離間され細長い圧力板と細長いピボット軸との間に接続される。【選択図】図４
2007503702.tif 000002
【特許請求の範囲】
【請求項１】
平形電気回路を終端するための電気コネクタであって、
平形回路の先端部を収容するための前方開口部を備えた絶縁性ハウジングと、
該ハウジングに、前記開口部に沿って横方向に離間されて横並びに装着された複数の端子と、
前記開口部への前記平形回路の挿入が可能となる開位置と閉位置との間を移動することができるように、前記ハウジングに移動可能に取付けられた細長いアクチュエータとを有し、
該アクチュエータは、閉位置にある場合に前記平形回路を前記端子に付勢するための、前記アクチュエータの前面に沿った細長い圧力板と、前記開位置と前記閉位置との間でアクチュエータを回動するための、該アクチュエータの背面に沿って延在し圧力板から離間された細長いピボット軸と、アクチュエータの長手方向に離間され細長い圧力板と細長いピボット軸との間に接続された複数の支持部とを含む電気コネクタ。
【請求項２】
前記端子のうちの少なくとも一部が、アクチュエータのピボット軸に係合してアクチュエータの回動動作を容易にするピボット手段を備えたピボット端子である、請求項１に記載の電気コネクタ。
【請求項３】
前記端子が、アクチュエータの長手方向に離間された前記支持部の間に位置する部分を含む、請求項１に記載の電気コネクタ。
【請求項４】
前記アクチュエータは、両端に長手方向外側へ突出したカムを含み、該カムがハウジング内のカム凹部に回転可能に位置決めされている、請求項１に記載の電気コネクタ。
【請求項５】
前記アクチュエータは、両端に長手方向外側へ突出したロック突起を含み、アクチュエータが閉位置にある場合にハウジングの両端のロック溝内にロック突起が位置することができる、請求項１に記載の電気コネクタ。
【請求項６】
前記アクチュエータが閉位置にある場合、ピボット軸を通る垂直面の前方に圧力板が位置し、アクチュエータは前記垂直面の後方に押圧部を含み、該押圧部が（ａ）端子に対しての前記平形回路の押圧、及び、（ｂ）閉位置から離れる方向へのアクチュエータの回転を阻止するオーバーセンタ手段の提供という二重の機能を果たす、請求項１に記載の電気コネクタ。
【請求項７】
平形電気回路を終端するための電気コネクタであって、
平形回路の先端部を収容するための前方開口部を備えた絶縁性ハウジングと、
該ハウジングに、前記開口部に沿って横方向に離間されて横並びに装着された複数の端子であって、その少なくとも一部がピボットアームを備えるピボット端子である端子と、
前記開口部への前記平形回路の挿入が可能となる開位置と閉位置との間を移動することができるように前記ハウジングに回動可能に取付けられた細長いアクチュエータとを有し、
該アクチュエータは、閉位置にある場合に平形回路を前記端子に対して付勢するための、アクチュエータの前面に沿った細長い圧力板と、前記開位置と前記閉位置との間でアクチュエータを回動するための、該アクチュエータの背面に沿って延在し圧力板から離間された細長いピボット軸と、アクチュエータの長手方向に離間され、細長い圧力板と細長いピボット軸との間に接続された複数の支持部を含み、該支持部の間にスペースが画定され、
ピボット端子の前記ピボットアームがアクチュエータの長手方向に離間された前記支持部間の前記スペースに位置合せされている電気コネクタ。
【請求項８】
前記アクチュエータは、両端に長手方向外側へ突出したカムを含み、該カムがハウジング内のカム凹部に回転可能に位置決めされる、請求項７に記載の電気コネクタ。
【請求項９】
前記アクチュエータは、両端に長手方向外側へ突出したロック突起を含み、アクチュエータが閉位置にある場合にハウジングの両端のロック溝内にロック突起が位置することができる、請求項７に記載の電気コネクタ。
【請求項１０】
前記ピボット端子が、ピボット軸と係合可能なピボット手段を含む前記ピボットアームと、平形回路上の適切なコンタクトと係合するために前記開口部に延在するコンタクトアームと、プリント回路基板上の適切な回路トレースと接続するための脚部とを含む、請求項７に記載の電気コネクタ。
【請求項１１】
前記ピボット端子のピボットアームが前記開口部の上に位置し、前記ハウジングにはプリント回路基板にハウジングを固定するために少なくとも１つの取付ネイルが取付けられ、該取付ネイルは、アクチュエータのピボット軸を付勢してピボットアームのピボット手段と係合させる上昇手段を備えている、請求項１０に記載の電気コネクタ。
【請求項１２】
前記アクチュエータが閉位置にある場合、ピボット軸を通る垂直面の前方に圧力板が位置し、アクチュエータは前記垂直面の後方に押圧部を含み、該押圧部が（ａ）端子に対しての平形回路の押圧、及び、（ｂ）閉位置から離れる方向への前記アクチュエータの回転を阻止するオーバーセンタ手段の提供という二重の機能を果たす、請求項７に記載の電気コネクタ。
【請求項１３】
平形電気回路を終端するための電気コネクタであって、
平形回路の先端部を収容するための前方開口部を備えた絶縁性ハウジングと、
該ハウジングに、開口部に沿って横方向に離間されて横並びに装着された複数の端子と、
前記開口部への平形回路の挿入が可能となる開位置と閉位置との間を移動することができるように、ハウジングに移動可能に取付けられた細長いアクチュエータとを有し、
該アクチュエータは、閉位置にある場合に平形回路を前記端子に対して付勢するための、アクチュエータの前方に沿った細長い圧力板と、前記開位置と前記閉位置との間でアクチュエータを回動させるとともに該アクチュエータの背面近傍に回動点を画定するピボット手段と、平形回路を端子に押付ける押圧部とを含み、前記圧力板が前記回動点を通る垂直面の前方に位置し、前記押圧部が回動点の後方に位置することによって、押圧部は、端子に対しての平形回路の押圧、及び、閉位置から離れる方向へのアクチュエータの回転を阻止するオーバーセンタ手段の提供という二重の機能を果たす電気コネクタ。
【発明の詳細な説明】
【技術分野】
【０００１】
本発明は、一般に、電気コネクタ技術に関し、より詳細には、平形フレキシブル回路、フレキシブルプリント回路、又は、その他の平形電気ケーブル等の平形回路を終端するためのコネクタに関する。
【背景技術】
【０００２】
平形ケーブル又は平形回路を終端するために、多種多様な電気コネクタが設計されてきた。平形回路用の代表的なコネクタは、プラスチック材料等から成形された絶縁性ハウジングを備えている。該ハウジングは、平形回路の先端部を収容するための細長い開口部（すなわち、スロット）を備え、この平形回路は横方向に離間された略平行の導体を備え、その導体が先端部において露出している。複数の端子がハウジング内に取付けられ、スロットに沿って横方向に離間されている。前記端子のコンタクト部は平形回路の横方向に離間された導体と係合することが可能である。アクチュエータは、多くの場合、ハウジングに移動可能に取付けられ、スロットへの平形回路の挿入が自由に行える第１の位置と、アクチュエータによって平形回路がハウジング内にクランプされて端子のコンタクト部に対して付勢される第２の位置との間を移動することができる。
【０００３】
図７及び８は、上記した特徴を持つ従来技術の平形回路コネクタを示す。コネクタは、全体を２０で示すハウジングを有し、該ハウジングにはその後方から複数の端子２２が装着されている。ハウジングは、絶縁性プラスチック材料で製造され、プリント回路基板（図示せず）に実装される。ハウジングはその前部に、矢印「Ｂ」で示される方向に挿入される平形回路の先端部を収容するためのスロット２０ａを有する。ハウジングは、端子２２が装着される複数対の端子収容通路２０ｃが形成された後部２４ｂを有する。最後に、ハウジングは細長い形状を呈し、内側に固定溝２０ｅが形成された一対の壁（すなわち、固定アーム）２０ｄを有する。全体を２４で示す細長いアクチュエータは、ハウジング２０の両端においてピボットボス２４ｂを有する一対の固定突起２４a によって、ハウジング２０に回動可能に取付けられている。固定突起は、アーム２０ｄの内側に形成された固定溝２０ｅに回転可能に取付けられている。細長いアクチュエータの前部両端には、一対のロック突起２４ｃが形成されている。アクチュエータが図１６に示すような閉位置にある場合、ロック突起がハウジングの前部に係止される。
【０００４】
一対の略閉鎖形の取付ネイル２６が、ハウジングの略逆Ｔ字形取付部２０ｆへ矢印「Ｂ」で示される方向に取付けられる。取付ネイルは金属材料で製造されている。前記取付ネイルをプリント回路基板の取付用パッドにはんだ付することで、コネクタをプリント回路基板に固定する。
【０００５】
アクチュエータ２４を図７及び８に示す閉位置から直立位置まで９０度回転させると、アクチュエータの後部がハウジングの固定アーム２０ｄ間に嵌（はめ）込まれる。各々の固定突起２４ａが、アーム２０ｄの内側に形成された固定溝２０ｅに挿入され、アクチュエータがハウジングに固定される。これにより、アクチュエータの開位置が画定される。アクチュエータがこの開位置にあるとき、平形回路の先端部がスロット２０ａへ矢印「Ａ」で示される方向に挿入される。この後、アクチュエータがピボットボス２４ｂを中心にして図７及び８に示す閉位置まで回転され、平形回路の下方部に設けられた適切なコンタクトが端子２２に対して付勢される。
【発明の開示】
【発明が解決しようとする課題】
【０００６】
上記した従来技術のコネクタでは、アクチュエータの最も外側の端部に形成されているピボットボス２４ｃ以外では、アクチュエータがハウジングに対して強固に枢支されていないという問題があった。本発明はこれらの問題を解消するものである。
【０００７】
したがって、本発明の目的は、平形電気回路を終端するための新規で改良された電気コネクタを提供することである。
【課題を解決するための手段】
【０００８】
本発明の例示的な実施形態では、コネクタは、平形回路の先端部を収容するための前方開口部が形成された絶縁性ハウジングを有する。該ハウジングには、複数の端子が横並びに開口部に沿って横方向に離間されて装着されている。ハウジングには、開口部への平形回路の挿入が可能となる開位置と閉位置との間を移動することができるように、細長いアクチュエータが移動可能に取付けられている。細長い圧力板が、アクチュエータの前部に沿って延在し、アクチュエータが閉位置にある場合に、平形回路を端子に対して付勢する。開位置と閉位置との間でアクチュエータを回動させるための細長いピボット軸は、アクチュエータの後部に沿って延在し、圧力板から離間されている。複数の支持部は、アクチュエータの長手方向に離間されて形成され、細長い圧力板と細長いピボット軸との間に連結されている。
【０００９】
本発明の一形態によれば、端子はアクチュエータの長手方向に離間された支持部の間に位置する部分を有する。本実施形態では、少なくとも一部の端子がピボット端子であり、アクチュエータの回動動作を容易にするためにアクチュエータのピボット軸と係合するピボットアームを備える。該ピボットアームは離間された支持部の間に位置している。
【００１０】
本発明の他の形態によれば、アクチュエータが閉位置にある場合、圧力板はピボット軸を通る垂直面の前方に位置する。アクチュエータは、（１）端子に対しての平形回路の押圧、及び、（２）閉位置から離れる方向へのアクチュエータの回転を阻止するオーバーセンタ手段の提供、という二重の機能を果たすために垂直面の後方に押圧部を備える。
【００１１】
本発明の他の特徴によれば、アクチュエータは、両端に長手方向外側へ突出したカムを有し、該カムはハウジング内のカム凹部に回転可能に位置決めされる。アクチュエータは、さらに、両端に長手方向外側へ突出したロック突起を有し、アクチュエータが閉位置にある場合に、ハウジングの両端のロック溝内に前記ロック突起が位置することができる。
【００１２】
本発明の他の目的、特徴、及び効果は、添付図面に関連して行われる以下の詳細な説明から明らかとなるであろう。
【００１３】
新規であると考えられる本発明の特徴は、添付の特許請求の範囲に具体的に記載されている。本発明は、その目的及びその利点とともに、添付図面に関連して行われる以下の説明を参照することによって最もよく理解することができ、図面において類似の参照符号は類似の要素を示す。
【発明を実施するための最良の形態】
【００１４】
図面をより詳細に参照して説明する。まず、図１〜３を参照すると、本発明は、平形電気回路３２（図示せず）をプリント回路基板（図示せず）に接続するための全体を３０で示す電気コネクタにおいて具体化されている。平形電気回路の例としては、平形ケーブル又は回路、平形フレキシブル回路又はフレキシブルプリント回路等が挙げられる。
【００１５】
コネクタ３０は、全体を３４で示す絶縁性ハウジングを備え、該ハウジングは細長で、プラスチック材料から成形することができる。ハウジングには、図２の矢印「Ｃ」で示された回路挿入方向の平形回路の先端部を収容するために、前方端にスロット３６が形成されている。複数の導電性端子３８は、ハウジング３４に、スロット３６に沿って横並びに離間されて装着されている。図２には、最も端にある２つの端子だけを示している。アクチュエータ４０は、以下に説明するように、平形回路をスロット３６に挿入することができる開位置（図４）と平形回路が端子に付勢される閉位置（図５）との間を移動することができるように、ハウジング３４に回動可能に取付けられている。端子はハウジングの後部へ矢印「Ｄ」で示される方向に挿入され、一対の取付ネイル４２はハウジングの前部へ矢印「Ｅ」で示される方向に挿入されている。
【００１６】
図２とともに図４及び５を参照すると、端子３８はハウジング３４の端子収容通路４３に挿入されている。各端子は、基部３８ａ、上側ピボットアーム３８ｂ及び下側コンタクトアーム３８ｃによって規定される、水平方向を向いた略Ｕ字状の形状を有している。上側ピボットアームの下側には、遠位端の近傍にピポット溝３８ｄが形成されている。コンタクトアームは、その遠位端に、回路受入スロット３６に向って突出したコンタクト部３８ｅを有している。脚部３８ｆは、基部３８ａから下方に突出し、プリント回路基板上の適切な回路トレースと接続するために、ハウジング３４の底部と略面一に配設される。端子は、導電性のシートメタル材料を打抜いて成形したものである。
【００１７】
ハウジング３４は、細長い形状を呈しているとともに、直立した後方部３４ａと、下側の前方へ突出したプラットフォーム部３４ｂとを有し、これにより、回路受入スロット３６は、上前方に向って開口している。複数の略平行なガイド溝４４が、プラットフォーム部３４ｂに沿って離間されて、複数の仕切壁４４ａの間に形成されている。端子３８をハウジングに挿入すると、コンタクトアーム３８ｃは、溝４４にガイドされ、コンタクト部３８ｅが回路受入スロット３６へと上方に突出した状態となる。
【００１８】
一対の端壁３４ｃが、ハウジング３４と一体的に形成されている。取付ネイル４２は、一対の端壁内に形成されハウジングの前方に開口している一対の逆Ｌ字形ネイル収容通路４６へ矢印「Ｅ」で示される方向に挿入される。上側に開いたアクチュエータ収容スロット４８が、各端壁３４ｃ内の後部に対応するネイル収容通路４６の後側に位置し、それと連通した状態で形成されている。回転カム溝（すなわち、凹部）５０は、各々のスロット４８内で、端壁３４ｃの内側に形成されている。カム受入溝５０は、以下に説明する目的で、第１のカム溝（すなわち、凹部）５０ａと、第１の溝の上に位置する第２のカム溝（すなわち、凹部）５０ｂとを有する。ロック溝５２が対応するネイル収容通路４６の上側に位置するように各端壁３４ｃの内側に形成されている。
【００１９】
アクチュエータ４０は、細長い形状を呈し、アクチュエータの前部に沿って延在する細長い圧力板４０ａと、アクチュエータの後部に沿って延在する圧力板と離間された細長いピボット軸４０ｂとを備えている。アクチュエータは一体構造であり、ピボット軸４０ｂは、アクチュエータの長さ方向に沿って所定の間隔で、複数の支持部５４によって圧力板４０ａと接続されている。これにより、支持部の間にはスペース５６が形成されている。アクチュエータの下側後部の角には、丸みの付いた押圧部４０ｃが形成されている。
【００２０】
アクチュエータ４０は、さらに、両端にブロック状の支持ボス５８を備えている。回転カム６０は、ボス５８の外側表面から外側に突出している。ボス５８は、以下に説明する目的のために、支持部５８ａと移動防止部５８ｂとを有する。アクチュエータ４０の圧力板４０ａは、両端の角に切欠き６２を備えている。最後に、ロック突起６４が、圧力板４０ａの両端から外側に突出している。
【００２１】
各々の取付ネイル４２は、垂直（すなわち、直立）支持板４２ｂと水平支持板４２ｃとによって画定されたＬ字状の取付部４２ａを備えている。該Ｌ字状取付部は、ハウジングの対応する端壁３４ｃの前側部分にあるＬ字状通路４６に挿入することが可能である。取付ネイルは、底部に水平固定板（すなわち、脚部）４２ｄを有する。該水平固定板は、プリント回路基板上の取付パッドとはんだ付によって接続して、コネクタをプリント回路基板に固定するために、ハウジング３４と略面一となっている。コネクタを基板に更に固定するための固定部材（図示せず）を収容するために、側方が開いた穴４２ｅが固定板４２ｄの外縁に形成されている。本発明によれば、各々の取付ネイル４２は、アクチュエータ４０を上方に付勢し、アクチュエータのピボット軸４０ｂを端子３８のピボット溝３８ｄ内に確実に着座させるために、垂直プレート形状の付勢部（すなわち、上昇アーム）４２ｆを備えている。したがって、プレート４２ｆは、特に、アクチュエータが閉位置にある場合にアクチュエータを垂直方向に支持する。
【００２２】
図４は、平形回路の先端部をスロット３６へ矢印「Ｃ」で示される方向に自由に挿入することができるように直立位置（すなわち、開位置）にあるアクチュエータ４０を示している。端子３８のピボットアーム３８ｂの下側のピポット溝３８ｄに、ピボット軸４０ｂが着座しているのが分かる。平形回路をスペース３６に挿入した後で、アクチュエータ４０を矢印「Ｆ」で示される方向に下方へ回動させ、図５に示す閉位置にする。この位置では、アクチュエータの圧力板４０ａが、平形回路を、端子のコンタクトアーム３８ｃのコンタクト部３８ｅに押圧する。
【００２３】
また、図６Ａ〜６Ｄは、開位置（図６Ａ及び６Ｂ）から閉位置（図６Ｄ）まで、矢印「Ｆ」で示される方向（図６Ｃ）に回動されるアクチュエータ４０の一連の動きを示している。アクチュエータの支持ボス５８が、ハウジングの端壁３４ｃのアクチュエータ収容スロット４８内に位置決めされているのが分かる。カム突起６０は、カム溝５０ｂに位置している。アクチュエータを閉位置まで回動させると、端壁３４ｃの内側に形成されたロック溝５２（図２参照）に、ロック突起６４がぱちんと嵌（はま）る。
【００２４】
本発明は、その精神及び中心的特長から逸脱することなく他の特定の形態でも実施することができることが分かるであろう。それ故、上述した実施例及び実施形態は、あらゆる点で例示的であり、限定的でないと考えるべきであり、本発明は、本明細書に記載した細部に限定されない。
【図面の簡単な説明】
【００２５】
【図１】本発明による平形回路コネクタの斜視図であり、アクチュエータが閉位置にある状態を示している。
【図２】コネクタの分解斜視図である。
【図３】アクチュエータの斜視図であり、コネクタの残りの部分と分離された状態を示している。
【図４】コネクタの前後方向に沿った拡大断面図であり、アクチュエータが開位置にある状態を示している。
【図５】図４と同様の拡大断面図であり、アクチュエータが閉位置にある状態を示している。
【図６Ａ】コネクタの一端の部分的に断面した破断斜視図であり、アクチュエータの開位置から閉位置までの一連の動きを示している。
【図６Ｂ】コネクタの一端の部分的に断面した破断斜視図であり、アクチュエータの開位置から閉位置までの一連の動きを示している。
【図６Ｃ】コネクタの一端の部分的に断面した破断斜視図であり、アクチュエータの開位置から閉位置までの一連の動きを示している。
【図６Ｄ】コネクタの一端の部分的に断面した破断斜視図であり、アクチュエータの開位置から閉位置までの一連の動きを示している。
【図７】背景技術で述べた従来技術のコネクタの図である。
【図８】背景技術で述べた従来技術のコネクタの図である。
【図１】
2007503702.tif 000003
【図２】
2007503702.tif 000004
【図３】
2007503702.tif 000005
【図４】
2007503702.tif 000006
【図５】
2007503702.tif 000007
【図６Ａ】
2007503702.tif 000008
【図６Ｂ】
2007503702.tif 000009
【図６Ｃ】
2007503702.tif 000010
【図６Ｄ】
2007503702.tif 000011
【図７】
2007503702.tif 000012
【図８】
2007503702.tif 000013
【手続補正書】
【提出日】平成17年1月13日(2005.1.13)
【手続補正１】
【補正対象書類名】特許請求の範囲
【補正対象項目名】全文
【補正方法】変更
【補正の内容】
【特許請求の範囲】
【請求項１】
平形電気回路を終端するための電気コネクタ（３０）であって、
平形回路の先端部を収容するための前方開口部（３６）を備えた絶縁性ハウジング（３４）と、
該ハウジングに、前記開口部に沿って横方向に離間されて横並びに装着された複数の端子（３８）と、
前記開口部への前記平形回路の挿入が可能となる開位置と閉位置との間を移動することができるように、前記ハウジングに移動可能に取付けられた細長いアクチュエータ（４０）とを有し、
該アクチュエータは、閉位置にある場合に前記平形回路を前記端子に付勢するための、前記アクチュエータの前面に沿った細長い圧力板（４０ａ）と、前記開位置と前記閉位置との間でアクチュエータを回動するための、該アクチュエータの背面に沿って延在し圧力板から離間された細長いピボット軸（４０ｂ）と、アクチュエータの長手方向に離間され細長い圧力板と細長いピボット軸との間に接続された複数の支持部（５４）と、両端において長手方向外側へ突出し、丸みの付いた角があるロック突起（６４）であって、アクチュエータが閉位置にある場合に、ハウジング（３４）の両端のロック溝（５２）内に位置することができるロック突起とを含む電気コネクタ（３０）。
【請求項２】
前記端子（３８）のうちの少なくとも一部が、アクチュエータ（４０）のピボット軸（４０ｂ）に係合してアクチュエータの回動動作を容易にするピボット手段（３８ｄ）を備えたピボット端子である、請求項１に記載の電気コネクタ。
【請求項３】
前記端子（３８）が、アクチュエータ（４０）の長手方向に離間された前記支持部（５４）の間に位置する部分（３８ｂ）を含む、請求項１に記載の電気コネクタ。
【請求項４】
前記アクチュエータ（４０）は、両端に長手方向外側へ突出したカム（６０）を含み、該カムが前記ハウジング内のカム凹部（５０）に回転可能に位置決めされている、請求項１に記載の電気コネクタ。
【請求項５】
前記アクチュエータ（４０）が閉位置にある場合、ピボット軸（４０ｂ）を通る垂直面の前方に圧力板（４０ａ）が位置し、アクチュエータは前記垂直面の後方に押圧部（４０ｃ）を含み、該押圧部が（ａ）端子（３８）に対しての前記平形回路の押圧、及び、（ｂ）閉位置から離れる方向へのアクチュエータ（４０）の回転を阻止するオーバーセンタ手段の提供という二重の機能を果たす、請求項１に記載の電気コネクタ。
【請求項６】
平形電気回路を終端するための電気コネクタ（３０）であって、
平形回路の先端部を収容するための前方開口部（３６）を備えた絶縁性ハウジング（３４）と、
該ハウジングに、前記開口部に沿って横方向に離間されて横並びに装着された複数の端子（３８）であって、その少なくとも一部がピボットアーム（３８ｂ）を備えるピボット端子である端子と、
前記開口部への前記平形回路の挿入が可能となる開位置と閉位置との間を移動することができるように前記ハウジングに回動可能に取付けられた細長いアクチュエータ（４０）とを有し、
該アクチュエータは、閉位置にある場合に平形回路を前記端子に対して付勢するための、アクチュエータの前面に沿った細長い圧力板（４０ａ）と、前記開位置と前記閉位置との間でアクチュエータを回動するための、該アクチュエータの背面に沿って延在し圧力板から離間された細長いピボット軸（４０ｂ）と、アクチュエータの長手方向に離間され、細長い圧力板と細長いピボット軸との間に接続された複数の支持部（５４）であって、間にスペースが画定された支持部と、
両端に長手方向外側へ突出し、丸みの付いた角があるロック突起（６４）であって、アクチュエータが閉位置にある場合にハウジング（３４）の両端のロック溝（５２）内に位置することができるロック突起とを含み、
ピボット端子の前記ピボットアーム（３８ｂ）がアクチュエータの長手方向に離間された前記支持部間の前記スペースに位置合せされている電気コネクタ（３０）。
【請求項７】
前記アクチュエータ（４０）は、両端に長手方向外側へ突出したカム（６０）を含み、該カムがハウジング（３４）内のカム凹部（５０）に回転可能に位置決めされる、請求項６に記載の電気コネクタ。
【請求項８】
前記ピボット端子（３８）が、ピボット軸（４０ｂ）と係合可能なピボット手段（３８ｄ）を含む前記ピボットアーム（３８ｂ）と、平形回路上の適切なコンタクトと係合するために前記開口部に延在するコンタクトアーム（３８ｃ）と、プリント回路基板上の適切な回路トレースと接続するための脚部（３８ｆ）とを含む、請求項６に記載の電気コネクタ。
【請求項９】
前記ピボット端子（３８）のピボットアーム（３８ｂ）が前記開口部（３６）の上に位置し、前記ハウジング（３４）にはプリント回路基板にハウジングを固定するために少なくとも１つの取付ネイル（４２）が取付けられ、該取付ネイルは、アクチュエータのピボット軸を付勢してピボットアームのピボット手段と係合させる上昇手段（４２ｆ）を備えている、請求項８に記載の電気コネクタ。
【請求項１０】
前記アクチュエータ（４０）が閉位置にある場合、ピボット軸（４０ｂ）を通る垂直面の前方に圧力板（４０ａ）が位置し、アクチュエータは前記垂直面の後方に押圧部（４０ｃ）を含み、該押圧部が（ａ）端子（３８）に対しての平形回路の押圧、及び、（ｂ）閉位置から離れる方向への前記アクチュエータ（４０）の回転を阻止するオーバーセンタ手段の提供という二重の機能を果たす、請求項６に記載の電気コネクタ。
【国際調査報告】
2007503702.tif 000014
2007503702.tif 000015
2007503702.tif 000016